【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
マルチユーザ（ＭＵ）多入力多出力（ＭＩＭＯ）通信システム内で、送信機から１つまたは複数の受信機へ無線で送信するための方法であって、
ＭＵ−ＭＩＭＯ送信における多数の同時並行ストリームを、複数のサービスされる受信機の各々に動的に割り振ることと、ここにおいて、前記動的な割り振りは、
各サービスされる受信機についての対応する送信待ち行列の長さを確定することと、
前記多数の同時並行ストリームが、各サービスされる受信機によって使用される対応する受信アンテナの数と各サービスされる受信機についての前記対応する送信待ち行列の長さに従って割り振られるように、各サービスされる受信機によって使用される前記対応する受信アンテナの数を確定することと、
を含み、
データが、送信タイマによって指定された時間期間にわたる前記ＭＵ−ＭＩＭＯ送信のためにバッファにおいて集約されるように、前記送信タイマの満了まで前記ＭＵ−ＭＩＭＯ送信を送ることを遅延させることによって、前記ＭＵ−ＭＩＭＯ送信のためのデータを集約することと
を備える方法。
【請求項２】
多数の同時並行ストリームを割り振ることは、
アクセスポイントにおいて、送信待ち行列の長さに関して、前記サービスされる受信機をソートすることと、
各サービスされる受信機に利用可能な前記対応する受信アンテナの数を確定することと、
各サービスされる受信機によって使用される前記対応する受信アンテナの数と各サービスされる受信機についての対応する待ち行列の長さに従って、前記多数のストリームを各サービスされる受信機に割り振ることと
を含む、請求項１に記載の方法。
【請求項３】
推定されたチャネルリアライゼーションに基づいて、新しいチャネルリアライゼーション測定を取得する前に、特定の受信機に送信される割り振られたストリームの変調および符号化スキームを更新すること
をさらに備える、請求項１に記載の方法。
【請求項４】
前記推定されたチャネルリアライゼーションは、
エージング損失について第１のチャネルに関するチャネル状態情報をモデリングすることと、
前記第１のチャネルによって搬送される第１のストリームの前記変調および符号化スキームを更新する際に使用される更新されたチャネルリアライゼーションを取得するために、前記第１のチャネルについて予め取得された、推定されたチャネルリアライゼーションｈにゼロ平均ガウス雑音ｗを加えることと
によって取得される、請求項３に記載の方法。
【請求項５】
前記変調および符号化スキームは、前記送信機と前記特定の受信機の間の前記第１のチャネルについての後処理信号対干渉および雑音比に基づいてさらに更新される、請求項４に記載の方法。
【請求項６】
特定の受信機に送信される前記割り振られたストリームの変調および符号化スキームを更新することは、
対応する送信電力、パスロス、または熱雑音フロアのうちの少なくとも１つを使用して、前記送信機と第１の受信機の間のリンクバジェット信号対雑音比（ＳＮＲ）を計算することと、
前記第１の受信機からのチャネル状態情報フィードバックからチャネルリアライゼーションを推定することと、
前記推定されたチャネルリアライゼーションを使用して、マルチユーザ（ＭＵ）多入力多出力（ＭＩＭＯ）送信のためのプリコーディングマトリクスを算出することと、
誤差を有する更新されたチャネルリアライゼーションを取得するために、前記推定されたチャネルリアライゼーションにゼロ平均ガウス雑音を加えることと、
前記プリコーディングマトリクスと、前記誤差を有する更新されたチャネルリアライゼーションとを使用して、後処理信号対干渉プラス雑音比（ＳＩＮＲ）を計算することと、
前記後処理信号対干渉および雑音比（ＳＩＮＲ）に基づいて、前記第１の受信機に送信される前記割り振られたストリームの変調および符号化スキームを決定することと
を含む、請求項３に記載の方法。
【請求項７】
前記割り振られたストリームの変調および符号化スキームは、受信機ごとに更新される、請求項３に記載の方法。
【請求項８】
異なる受信機への割り振られたストリームは、異なる変調および符号化スキームを有する、請求項３に記載の方法。
【請求項９】
前記ＭＵ−ＭＩＭＯ送信を送る際に前記送信タイマを開始することと、
送信待ち行列でのデータの受信の際に、ランダムバックオフカウンタを開始することと、
前記ランダムバックオフカウンタの満了、および前記送信タイマの満了の際に、前記ＭＵ−ＭＩＭＯ送信を送ることと、ここにおいて、前記ランダムバックオフカウンタは、前記送信タイマが満了するまで１回以上再開始される、
をさらに備える、請求項１に記載の方法。
【請求項１０】
前記ランダムバックオフカウンタは、ＩＥＥＥ８０２．１１マルチユーザＭＩＭＯ無線通信規格によって定義される、請求項９に記載の方法。
【請求項１１】
マルチユーザ（ＭＵ）多入力多出力（ＭＩＭＯ）通信システム内で、局に無線で送信するために構成された送信機デバイスであって、
複数の局と無線ネットワーク上で通信するための無線通信インタフェースと、
前記無線通信インタフェースに結合された処理回路と
を備え、
前記処理回路は、
ＭＵ−ＭＩＭＯ送信における多数の同時並行ストリームを、複数のサービスされる受信機の各々に動的に割り振り、ここにおいて、前記動的な割り振りは、
各サービスされる受信機についての対応する送信待ち行列の長さを確定することと、
前記多数の同時並行ストリームが、各サービスされる受信機によって使用される対応する受信アンテナの数と各サービスされる受信機についての前記対応する送信待ち行列の長さに従って割り振られるように、各サービスされる受信機によって使用される前記対応する受信アンテナの数を確定することと、
を含み、
データが、送信タイマによって指定された時間期間にわたる前記ＭＵ−ＭＩＭＯ送信のためにバッファにおいて集約されるように、前記送信タイマの満了まで前記ＭＵ−ＭＩＭＯ送信を送ることを遅延させることによって、前記ＭＵ−ＭＩＭＯ送信のためのデータを集約する
ように構成される、送信機デバイス。
【請求項１２】
各ＭＵ−ＭＩＭＯ送信は、異なる局への複数のストリームを含むＭＵ−ＭＩＭＯフレームを含み、前記ＭＵ−ＭＩＭＯフレームは、ＭＵ−ＭＩＭＯ送信のために定義される典型的なフレームと比べて、拡張された持続時間を有する、請求項１１に記載の送信機デバイス。
【請求項１３】
前記処理回路はさらに、
アクセスポイントにおいて、送信待ち行列の長さに関して、前記サービスされる受信機をソートすることと、
各サービスされる受信機に利用可能な前記受信アンテナの数を確定することと、
各サービスされる受信機によって使用される前記受信アンテナの数と各サービスされる受信機についての対応する待ち行列の長さに従って、前記多数のストリームを各受信機に割り振ることと
によって、前記多数のストリームを割り振るように構成される、請求項１１に記載の送信機デバイス。
【請求項１４】
推定されたチャネルリアライゼーションに基づいて、新しいチャネルリアライゼーション測定を取得する前に、特定の受信機に送信される割り振られたストリームの変調および符号化スキームを更新すること
をさらに備える、請求項１１に記載の送信機デバイス。
【請求項１５】
前記処理回路はさらに、
エージング損失について第１のチャネルに関するチャネル状態情報をモデリングすることと、
前記第１のチャネルによって搬送される第１のストリームの前記変調および符号化スキームを更新する際に使用される更新されたチャネルリアライゼーションを取得するために、前記第１のチャネルについて予め取得された、推定されたチャネルリアライゼーションｈにゼロ平均ガウス雑音ｗを加えることと
によって、前記推定されたチャネルリアライゼーションを取得するように構成される、請求項１４に記載の送信機デバイス。
【請求項１６】
前記変調および符号化スキームは、前記送信機と前記特定の受信機の間の前記第１のチャネルについての後処理信号対干渉および雑音比に基づいてさらに更新される、請求項１５に記載の送信機デバイス。
【請求項１７】
前記処理回路はさらに、
対応する送信電力、パスロス、または熱雑音フロアのうちの少なくとも１つを使用して、前記送信機と第１の受信機の間のリンクバジェット信号対雑音比（ＳＮＲ）を計算することと、
前記第１の受信機からのチャネル状態情報フィードバックからチャネルリアライゼーションを推定することと、
前記推定されたチャネルリアライゼーションを使用して、マルチユーザ（ＭＵ）多入力多出力（ＭＩＭＯ）送信のためのプリコーディングマトリクスを算出することと、
誤差を有する更新されたチャネルリアライゼーションを取得するために、前記推定されたチャネルリアライゼーションにゼロ平均ガウス雑音を加えることと、
前記プリコーディングマトリクスと、前記誤差を有する更新されたチャネルリアライゼーションとを使用して、後処理信号対干渉プラス雑音比（ＳＩＮＲ）を計算することと、
前記後処理信号対干渉および雑音比（ＳＩＮＲ）に基づいて、前記第１の受信機に送信される前記割り振られたストリームの変調および符号化スキームを決定することと、
によって、特定の受信機に送信される前記割り振られたストリームの前記変調および符号化スキームを更新するように構成される、請求項１４に記載の送信機デバイス。
【請求項１８】
前記割り振られたストリームの変調および符号化スキームは、受信機ごとに更新される、請求項１４に記載の送信機デバイス。
【請求項１９】
異なるサービスされる受信機への割り振られたストリームは、異なる変調および符号化スキームを有する、請求項１４に記載の送信機デバイス。
【請求項２０】
前記処理回路はさらに、
前記ＭＵ−ＭＩＭＯ送信を送る際に前記送信タイマを開始し、
送信待ち行列でのデータの受信の際に、ランダムバックオフカウンタを開始し、
前記ランダムバックオフカウンタの満了、および前記送信タイマの満了の際に、前記ＭＵ−ＭＩＭＯ送信を送る、ここにおいて、前記ランダムバックオフカウンタは、前記送信タイマが満了するまで１回以上再開始される、
ように構成される、請求項１１に記載の送信機デバイス。
【請求項２１】
前記ランダムバックオフカウンタは、ＩＥＥＥ８０２．１１マルチユーザＭＩＭＯ無線通信規格によって定義される、請求項２０に記載の送信機デバイス。
【請求項２２】
送信機デバイスであって、
ＭＵ−ＭＩＭＯ送信における多数の同時並行ストリームを、複数のサービスされる受信機の各々に動的に割り振るための手段と、ここにおいて、前記動的な割り振りは、
各サービスされる受信機についての対応する送信待ち行列の長さを確定することと、
前記多数の同時並行ストリームが、各サービスされる受信機によって使用される対応する受信アンテナの数と各サービスされる受信機についての前記対応する送信待ち行列の長さに従って割り振られるように、各サービスされる受信機によって使用される前記対応する受信アンテナの数を確定することと、
を含み、
データが、送信タイマによって指定された時間期間にわたる前記ＭＵ−ＭＩＭＯ送信のためにバッファにおいて集約されるように、送信タイマの満了まで前記ＭＵ−ＭＩＭＯ送信を送ることを遅延させることによって、前記ＭＵ−ＭＩＭＯ送信のためのデータを集約するための手段と
を備える送信機デバイス。
【請求項２３】
多数の割り振られたストリームを割り振ることは、
アクセスポイントにおいて、送信待ち行列の長さに関して、前記サービスされる受信機をソートすることと、
各サービスされる受信機に利用可能な前記対応する受信アンテナの数を確定することと、
各サービスされる受信機によって使用される前記対応する受信アンテナの数と各サービスされる受信機についての対応する待ち行列の長さに従って、前記多数のストリームを各サービスされる受信機に割り振ることと
を含む、請求項２２に記載の送信機デバイス。
【請求項２４】
推定されたチャネルリアライゼーションに基づいて、新しいチャネルリアライゼーション測定を取得する前に、特定のサービスされる受信機に送信される前記割り振られたストリームの変調および符号化スキームを更新するための手段
をさらに備える、請求項２２に記載の送信機デバイス。
【請求項２５】
前記推定されたチャネルリアライゼーションは、
エージング損失について第１のチャネルに関するチャネル状態情報をモデリングすることと、
前記第１のチャネルによって搬送される第１のストリームの前記変調および符号化スキームを更新する際に使用される更新されたチャネルリアライゼーションを取得するために、前記第１のチャネルについて予め取得された、推定されたチャネルリアライゼーションｈにゼロ平均ガウス雑音ｗを加えることと
によって取得される、請求項２４に記載の送信機デバイス。
【請求項２６】
前記変調および符号化スキームは、前記送信機と前記特定の受信機の間の前記第１のチャネルについての後処理信号対干渉および雑音比に基づいてさらに更新される、請求項２４に記載の送信機デバイス。
【請求項２７】
特定の受信機に送信される前記割り振られたストリームの変調および符号化スキームを更新するための前記手段は、
対応する送信電力、パスロス、または熱雑音フロアのうちの少なくとも１つを使用して、前記送信機と第１の受信機の間のリンクバジェット信号対雑音比（ＳＮＲ）を計算するための手段と、
前記第１の受信機からのチャネル状態情報フィードバックからチャネルリアライゼーションを推定するための手段と、
前記推定されたチャネルリアライゼーションを使用して、マルチユーザ（ＭＵ）多入力多出力（ＭＩＭＯ）送信のためのプリコーディングマトリクスを算出するための手段と、
誤差を有する更新されたチャネルリアライゼーションを取得するために、前記推定されたチャネルリアライゼーションにゼロ平均ガウス雑音を加えるための手段と、
前記プリコーディングマトリクスと、前記誤差を有する更新されたチャネルリアライゼーションとを使用して、後処理信号対干渉プラス雑音比（ＳＩＮＲ）を計算するための手段と、
前記後処理信号対干渉および雑音比（ＳＩＮＲ）に基づいて、前記第１の受信機に送信される前記割り振られたストリームの変調および符号化スキームを決定するための手段と
を含む、請求項２４に記載の送信機デバイス。
【請求項２８】
アクセスポイントにおいて動作可能な１つまたは複数の命令を有する非一時的なプロセッサ可読媒体であって、前記命令は、１つまたは複数のプロセッサによって実行されると、前記プロセッサに、
ＭＵ−ＭＩＭＯ送信における多数の同時並行ストリームを、複数のサービスされる受信機の各々に動的に割り振ることと、ここにおいて、前記動的な割り振りは、
各サービスされる受信機についての対応する送信待ち行列の長さを確定することと、
前記多数の同時並行ストリームが、各サービスされる受信機によって使用される対応する受信アンテナの数と各サービスされる受信機についての対応する送信待ち行列の長さに従って割り振られるように、各サービスされる受信機によって使用される前記対応する受信アンテナの数を確定することと、
を含み、
データが、送信タイマによって指定された時間期間にわたる前記ＭＵ−ＭＩＭＯ送信のためにバッファにおいて集約されるように、前記送信タイマの満了まで前記ＭＵ−ＭＩＭＯ送信を送ることを遅延させることによって、前記ＭＵ−ＭＩＭＯ送信のためのデータを集約することと
を行わせる、プロセッサ可読媒体。
【請求項２９】
多数のストリームを割り振ることは、
前記アクセスポイントにおいて、送信待ち行列の長さに関して、前記サービスされる受信機をソートすることと、
各サービスされる受信機に利用可能な前記対応する受信アンテナの数を確定することと、
各サービスされる受信機の各々によって使用される前記対応する受信アンテナの数と各受信機についての対応する待ち行列の長さに従って、前記多数のストリームを各サービスされる受信機に割り振ることと
を含む、請求項２８に記載のプロセッサ可読媒体。
【請求項３０】
前記１つまたは複数のプロセッサによって実行されると、前記プロセッサに、
推定されたチャネルリアライゼーションに基づいて、新しいチャネルリアライゼーション測定を取得する前に、特定の受信機に送信される前記割り振られたストリームの変調および符号化スキームを更新すること
を行わせる１つまたは複数の命令をさらに備える、請求項２８に記載のプロセッサ可読媒体。
【請求項３１】
前記推定されたチャネルリアライゼーションは、
エージング損失について第１のチャネルに関するチャネル状態情報をモデリングすることと、
前記第１のチャネルによって搬送される第１のストリームの前記変調および符号化スキームを更新する際に使用される更新されたチャネルリアライゼーションを取得するために、前記第１のチャネルについて予め取得された、推定されたチャネルリアライゼーションｈにゼロ平均ガウス雑音ｗを加えることと
によって取得される、請求項３０に記載のプロセッサ可読媒体。
【請求項３２】
前記変調および符号化スキームは、前記送信機と前記特定の受信機の間の前記第１のチャネルについての後処理信号対干渉および雑音比に基づいてさらに更新される、請求項３１に記載のプロセッサ可読媒体。
【手続補正２】
【補正対象書類名】明細書
【補正対象項目名】００２５
【補正方法】変更
【補正の内容】
【００２５】
[0033]  パケット集約モジュール／回路／機能２２４は、データ／パケット送信のために使用されるエアタイム（air time）の割合を増大させることによって、フレームの固定されたヘッダと関連付けられるエアタイムの割合を低減させる働きをしうる。固定されたオーバヘッドは、増大するＰＨＹ層送信レートに関してデータペイロードの送信時間がより短くなるにつれて、エアタイムのより大きな割合を占める（accounts for a larger percentage of airtime）。
【手続補正３】
【補正対象書類名】明細書
【補正対象項目名】００４０
【補正方法】変更
【補正の内容】
【００４０】
[0047]  図５は、チャネルリアライゼーションを更新する前に、送信機において特定のチャネル／ストリームの変調および符号化スキーム（ＭＣＳ）を更新するための方法を例示する。前述したように、送信機は、瞬間的なチャネルリアライゼーション（例えば、特定の瞬間における、干渉および／または雑音フロアのような、測定されたチャネル特性）を最初に取得することができ、そのチャネル上で送信されるストリームで使用される変調および符号化スキームを選択するために、この瞬間的なチャネルリアライゼーションを使用する。これらチャネル特性は時間とともに変化しうるので、最初に選択された変調および符号化スキームは、更新される必要がある。しかしながら、瞬間的なチャネルリアライゼーションを取得するためのチャネル測定は、リソース集約的であるか、あるいは十分な頻度で利用可能でない場合がある。したがって、その代わりに、送信機は、（例えば、以前の瞬間的なチャネルリアライゼーション以来のエイジ（age since the previous instantaneous channel realization）に基づいて、）チャネルリアライゼーションを推定し、そのチャネル上のストリームのために使用される変調および符号化スキームを更新するために、推定されたチャネルリアライゼーションを使用する。これは、ＭＩＭＯ送信のために送信機によって使用される全てのチャネルおよび／またはストリームに対して行われうる。
【手続補正４】
【補正対象書類名】明細書
【補正対象項目名】００６３
【補正方法】変更
【補正の内容】
【００６３】
[0063]  送信スケジューラはまた、送信バッファの前に、到来するパケットを格納するための蓄積バッファ（an accumulation buffer）を追加することができ、これは、ランダムバックオフ・インターバル／カウンタをトリガすることを担う。送信バッファは、インターバルＴＡごとに蓄積バッファからパケットを読み取る。このインターバルの間、蓄積バッファは、上位層からのパケットを蓄積し、送信バッファに対して「閉じられた」状態のままである。インターバルＴＡの後、蓄積バッファは、「開いた」状態になり、送信バッファは、蓄積バッファからの全てのパケットを読み取る。このように、２つの連続するＭＵ−ＭＩＭＯ送信間のインターバルは、少なくともＴＡである。
【手続補正５】
【補正対象書類名】図面
【補正対象項目名】図７
【補正方法】変更
【補正の内容】
【図７】
2015518334.tif 000001
【手続補正６】
【補正対象書類名】明細書
【補正対象項目名】００７５
【補正方法】変更
【補正の内容】
【００７５】
[0075]  ここに説明された本発明の様々な特徴は、本発明から逸脱することなく異なるシステムにおいてインプリメントされうる。前述の実施形態は、単なる例にすぎず、本発明を限定するようには解釈されるべきではないことに留意されたい。実施形態の説明は、例示的であるように意図され、特許請求の範囲を限定するようには意図されない。したがって、本教示は、他のタイプの装置に容易に適用されることができ、多くの代替、修正および変形が、当業者に明らかになるであろう。
以下に、本願出願の当初の特許請求の範囲に記載された発明を付記する。
［書類名］特許請求の範囲
［Ｃ１］
マルチユーザ（ＭＵ）多入力多出力（ＭＩＭＯ）通信システム内で、送信機から１つまたは複数の受信機へ無線で送信するための方法であって、
各ＭＵ−ＭＩＭＯ送信上で送信される総データを最大化するために、ＭＵ−ＭＩＭＯ送信における多数の同時並行ストリームを、複数のサービスされる受信機の各々に動的に割り振ることと、ここにおいて、ストリームは、前記サービスされる受信機の各々によって使用される受信アンテナの数と各受信機についての対応する送信待ち行列の長さに従って割り振られる、
前記ＭＵ−ＭＩＭＯ送信を送る際に送信タイマを開始することと、
（ａ）前記送信タイマの満了、または（ｂ）送信待ち行列でのデータの受信、のうちのいずれか１つの際に、ランダムバックオフカウンタを開始することと、
前記送信タイマが満了した場合、前記ランダムバックオフカウンタの満了の際に新しいＭＵ−ＭＩＭＯ送信を送ることと、そうでない場合、前記ランダムバックオフカウンタは、前記送信タイマが満了するまで１回以上再開始される、
を備える方法。
［Ｃ２］
多数のストリームを割り振ることは、
アクセスポイントにおいて、待ち行列の長さに関して、前記サービスされる受信機をソートすることと、
各受信機に利用可能な受信アンテナの数を確定することと、
前記受信機の各々によって使用される前記受信アンテナの数とその対応する待ち行列の長さに従って、多数のストリームを各受信機に割り振ることと
を含む、Ｃ１に記載の方法。
［Ｃ３］
推定されたチャネルリアライゼーションに基づいて、新しいチャネルリアライゼーション測定を取得する前に、特定の受信機に送信される前記ストリームの変調および符号化スキームを更新すること
をさらに備える、Ｃ１に記載の方法。
［Ｃ４］
前記推定されたチャネルリアライゼーションは、
エージング損失について第１のチャネルに関するチャネル状態情報をモデリングすることと、
前記第１のチャネルによって搬送される第１のストリームの前記変調および符号化スキームを更新する際に使用されることができる更新されたチャネルリアライゼーションを取得するために、前記第１のチャネルについて予め取得された、推定されたチャネルリアライゼーションｈにゼロ平均ガウス雑音ｗを加えることと
によって取得される、Ｃ３に記載の方法。
［Ｃ５］
前記変調および符号化スキームは、前記送信機と前記特定の受信機の間の前記第１のチャネルについての後処理信号対干渉および雑音比に基づいてさらに更新される、Ｃ４に記載の方法。
［Ｃ６］
特定の受信機に送信される前記ストリームの変調および符号化スキームを選択することは、
対応する送信電力、パスロス、および／または熱雑音フロアを使用して、前記送信機と第１の受信機の間のリンクバジェット信号対雑音比（ＳＮＲ）を計算することと、
前記第１の受信機からのチャネル状態情報フィードバックからチャネルリアライゼーションを推定することと、
前記推定されたチャネルリアライゼーションを使用して、マルチユーザ（ＭＵ）多入力多出力（ＭＩＭＯ）送信のためのプリコーディングマトリクスを算出することと、
誤差を有する更新されたチャネルリアライゼーションを取得するために、前記推定されたチャネルリアライゼーションにゼロ平均ガウス雑音を加えることと、
前記プリコーディングマトリクスと、前記誤差を有する更新されたチャネルリアライゼーションとを使用して、後処理信号対干渉プラス雑音比（ＳＩＮＲ）を計算することと、
前記後処理信号対干渉および雑音比（ＳＩＮＲ）に基づいて、前記第１の受信機に送信される前記ストリームの変調および符号化スキームを決定することと
を含む、Ｃ３に記載の方法。
［Ｃ７］
前記ストリームの変調および符号化スキームを選択することは、受信機ごとに更新される、Ｃ３に記載の方法。
［Ｃ８］
異なる受信機へのストリームは、異なる変調および符号化スキームを有する、Ｃ３に記載の方法。
［Ｃ９］
前記ランダムバックオフカウンタは、ＩＥＥＥ８０２．１１マルチユーザＭＩＭＯ無線通信規格によって定義される、Ｃ１に記載の方法。
［Ｃ１０］
前記ランダムバックオフカウンタは、マイクロ秒オーダである一方で、送信インターバルは、ミリ秒オーダである、Ｃ１に記載の方法。
［Ｃ１１］
マルチユーザ（ＭＵ）多入力多出力（ＭＩＭＯ）通信システム内で、局に無線で送信するために構成された送信機デバイスであって、
複数の局と無線ネットワーク上で通信するための無線通信インタフェースと、
前記無線通信インタフェースに結合された処理回路と
を備え、
前記処理回路は、
各ＭＵ−ＭＩＭＯ送信上で送信される総データを最大化するために、ＭＵ−ＭＩＭＯ送信における多数の同時並行ストリームを、複数のサービスされる受信機の各々に動的に割り振り、ここにおいて、ストリームは、前記サービスされる受信機の各々によって使用される受信アンテナの数と各受信機についての対応する送信待ち行列の長さに従って割り振られる、
前記ＭＵ−ＭＩＭＯ送信を送る際に送信タイマを開始し、
（ａ）前記送信タイマの満了、または（ｂ）送信待ち行列でのデータの受信、のうちのいずれか１つの際に、ランダムバックオフカウンタを開始し、
前記送信タイマが満了した場合、前記ランダムバックオフカウンタの満了の際に新しいＭＵ−ＭＩＭＯ送信を送る、そうでない場合、前記ランダムバックオフカウンタは、前記送信タイマが満了するまで１回以上再開始される、
ように構成される、送信機デバイス。
［Ｃ１２］
各ＭＵ−ＭＩＭＯ送信は、異なる局への複数のストリームを含むＭＵ−ＭＩＭＯフレームを含み、前記ＭＵ−ＭＩＭＯフレームは、ＭＵ−ＭＩＭＯ送信のために定義される典型的なフレームと比べて、拡張された持続時間を有する、Ｃ１１に記載の送信機デバイス。
［Ｃ１３］
前記処理回路はさらに、
アクセスポイントにおいて、待ち行列の長さに関して、前記サービスされる受信機をソートすることと、
各受信機に利用可能な受信アンテナの数を確定することと、
前記受信機の各々によって使用される前記受信アンテナの数とその対応する待ち行列の長さに従って、多数のストリームを各受信機に割り振ることと
によって、前記多数のストリームを割り振るように構成される、Ｃ１１に記載の送信機デバイス。
［Ｃ１４］
推定されたチャネルリアライゼーションに基づいて、新しいチャネルリアライゼーション測定を取得する前に、特定の受信機に送信される前記ストリームの変調および符号化スキームを更新すること
をさらに備える、Ｃ１１に記載の送信機デバイス。
［Ｃ１５］
前記処理回路はさらに、
エージング損失について第１のチャネルに関するチャネル状態情報をモデリングすることと、
前記第１のチャネルによって搬送される第１のストリームの前記変調および符号化スキームを更新する際に使用されることができる更新されたチャネルリアライゼーションを取得するために、前記第１のチャネルについて予め取得された、推定されたチャネルリアライゼーションｈにゼロ平均ガウス雑音ｗを加えることと
によって、前記推定されたチャネルリアライゼーションを取得するように構成される、Ｃ１４に記載の送信機デバイス。
［Ｃ１６］
前記変調および符号化スキームは、前記送信機と前記特定の受信機の間の前記第１のチャネルについての後処理信号対干渉および雑音比に基づいてさらに更新される、Ｃ１５に記載の送信機デバイス。
［Ｃ１７］
前記処理回路はさらに、
対応する送信電力、パスロス、および／または熱雑音フロアを使用して、前記送信機と第１の受信機の間のリンクバジェット信号対雑音比（ＳＮＲ）を計算することと、
前記第１の受信機からのチャネル状態情報フィードバックからチャネルリアライゼーションを推定することと、
前記推定されたチャネルリアライゼーションを使用して、マルチユーザ（ＭＵ）多入力多出力（ＭＩＭＯ）送信のためのプリコーディングマトリクスを算出することと、
誤差を有する更新されたチャネルリアライゼーションを取得するために、前記推定されたチャネルリアライゼーションにゼロ平均ガウス雑音を加えることと、
前記プリコーディングマトリクスと、前記誤差を有する更新されたチャネルリアライゼーションとを使用して、後処理信号対干渉プラス雑音比（ＳＩＮＲ）を計算することと、
前記後処理信号対干渉および雑音比（ＳＩＮＲ）に基づいて、前記第１の受信機に送信される前記ストリームの変調および符号化スキームを決定することと、
によって、特定の受信機に送信される前記ストリームの前記変調および符号化スキームを更新するように構成される、Ｃ１４に記載の送信機デバイス。
［Ｃ１８］
前記ストリームの変調および符号化スキームを選択することは、受信機ごとに更新される、Ｃ１４に記載の送信機デバイス。
［Ｃ１９］
異なる受信機へのストリームは、異なる変調および符号化スキームを有する、Ｃ１４に記載の送信機デバイス。
［Ｃ２０］
前記ランダムバックオフカウンタは、ＩＥＥＥ８０２．１１マルチユーザＭＩＭＯ無線通信規格によって定義される、Ｃ１１に記載の送信機デバイス。
［Ｃ２１］
前記ランダムバックオフカウンタは、マイクロ秒オーダである一方で、送信インターバルは、ミリ秒オーダである、Ｃ１１に記載の送信機デバイス。
［Ｃ２２］
送信機デバイスであって、
各ＭＵ−ＭＩＭＯ送信上で送信される総データを最大化するために、ＭＵ−ＭＩＭＯ送信における多数の同時並行ストリームを、複数のサービスされる受信機の各々に動的に割り振るための手段と、ここにおいて、ストリームは、前記サービスされる受信機の各々によって使用される受信アンテナの数と各受信機についての対応する送信待ち行列の長さに従って割り振られる、
前記ＭＵ−ＭＩＭＯ送信を送る際に送信タイマを開始するための手段と、
（ａ）前記送信タイマの満了、または（ｂ）送信待ち行列でのデータの受信、のうちのいずれか１つの際に、ランダムバックオフカウンタを開始するための手段と、
前記送信タイマが満了した場合、前記ランダムバックオフカウンタの満了の際に新しいＭＵ−ＭＩＭＯ送信を送るための手段と、そうでない場合、前記ランダムバックオフカウンタは、前記送信タイマが満了するまで１回以上再開始される、
を備える送信機デバイス。
［Ｃ２３］
多数のストリームを割り振ることは、
アクセスポイントにおいて、待ち行列の長さに関して、前記サービスされる受信機をソートすることと、
各受信機に利用可能な受信アンテナの数を確定することと、
前記受信機の各々によって使用される前記受信アンテナの数とその対応する待ち行列の長さに従って、多数のストリームを各受信機に割り振ることと
を含む、Ｃ２２に記載の送信機デバイス。
［Ｃ２４］
推定されたチャネルリアライゼーションに基づいて、新しいチャネルリアライゼーション測定を取得する前に、特定の受信機に送信される前記ストリームの変調および符号化スキームを更新するための手段
をさらに備える、Ｃ２２に記載の送信機デバイス。
［Ｃ２５］
前記推定されたチャネルリアライゼーションは、
エージング損失について第１のチャネルに関するチャネル状態情報をモデリングすることと、
前記第１のチャネルによって搬送される第１のストリームの前記変調および符号化スキームを更新する際に使用されることができる更新されたチャネルリアライゼーションを取得するために、前記第１のチャネルについて予め取得された、推定されたチャネルリアライゼーションｈにゼロ平均ガウス雑音ｗを加えることと
によって取得される、Ｃ２４に記載の送信機デバイス。
［Ｃ２６］
前記変調および符号化スキームは、前記送信機と前記特定の受信機の間の第１のチャネルについての後処理信号対干渉および雑音比に基づいてさらに更新される、Ｃ２４に記載の送信機デバイス。
［Ｃ２７］
特定の受信機に送信される前記ストリームの変調および符号化スキームを選択するための手段は、
対応する送信電力、パスロス、および／または熱雑音フロアを使用して、前記送信機と第１の受信機の間のリンクバジェット信号対雑音比（ＳＮＲ）を計算するための手段と、
前記第１の受信機からのチャネル状態情報フィードバックからチャネルリアライゼーションを推定するための手段と、
前記推定されたチャネルリアライゼーションを使用して、マルチユーザ（ＭＵ）多入力多出力（ＭＩＭＯ）送信のためのプリコーディングマトリクスを算出するための手段と、
誤差を有する更新されたチャネルリアライゼーションを取得するために、前記推定されたチャネルリアライゼーションにゼロ平均ガウス雑音を加えるための手段と、
前記プリコーディングマトリクスと、前記誤差を有する更新されたチャネルリアライゼーションとを使用して、後処理信号対干渉プラス雑音比（ＳＩＮＲ）を計算するための手段と、
前記後処理信号対干渉および雑音比（ＳＩＮＲ）に基づいて、前記第１の受信機に送信される前記ストリームの変調および符号化スキームを決定するための手段と
を含む、Ｃ２４に記載の送信機デバイス。
［Ｃ２８］
アクセスポイントにおいて動作可能な１つまたは複数の命令を有するプロセッサ可読媒体であって、前記命令は、１つまたは複数のプロセッサによって実行されると、前記プロセッサに、
各ＭＵ−ＭＩＭＯ送信上で送信される総データを最大化するために、ＭＵ−ＭＩＭＯ送信における多数の同時並行ストリームを、複数のサービスされる受信機の各々に動的に割り振ることと、ここにおいて、ストリームは、前記サービスされる受信機の各々によって使用される受信アンテナの数と各受信機についての対応する送信待ち行列の長さに従って割り振られる、
前記ＭＵ−ＭＩＭＯ送信を送る際に送信タイマを開始することと、
（ａ）前記送信タイマの満了、または（ｂ）送信待ち行列でのデータの受信、のうちのいずれか１つの際に、ランダムバックオフカウンタを開始することと、
前記送信タイマが満了した場合、前記ランダムバックオフカウンタの満了の際に新しいＭＵ−ＭＩＭＯ送信を送ることと、そうでない場合、前記ランダムバックオフカウンタは、前記送信タイマが満了するまで１回以上再開始される、
を行わせる、プロセッサ可読媒体。
［Ｃ２９］
多数のストリームを割り振ることは、
前記アクセスポイントにおいて、待ち行列の長さに関して、前記サービスされる受信機をソートすることと、
各受信機に利用可能な受信アンテナの数を確定することと、
前記受信機の各々によって使用される前記受信アンテナの数とその対応する待ち行列の長さに従って、多数のストリームを各受信機に割り振ることと
を含む、Ｃ２８に記載のプロセッサ可読媒体。
［Ｃ３０］
前記１つまたは複数のプロセッサによって実行されると、前記プロセッサに、
推定されたチャネルリアライゼーションに基づいて、新しいチャネルリアライゼーション測定を取得する前に、特定の受信機に送信される前記ストリームの変調および符号化スキームを更新すること
を行わせる１つまたは複数の命令をさらに備える、Ｃ２８に記載のプロセッサ可読媒体。
［Ｃ３１］
前記推定されたチャネルリアライゼーションは、
エージング損失について第１のチャネルに関するチャネル状態情報をモデリングすることと、
前記第１のチャネルによって搬送される第１のストリームの前記変調および符号化スキームを更新する際に使用されることができる更新されたチャネルリアライゼーションを取得するために、前記第１のチャネルについて予め取得された、推定されたチャネルリアライゼーションｈにゼロ平均ガウス雑音ｗを加えることと
によって取得される、Ｃ３０に記載のプロセッサ可読媒体。
［Ｃ３２］
前記変調および符号化スキームは、前記送信機と前記特定の受信機の間の前記第１のチャネルについての後処理信号対干渉および雑音比に基づいてさらに更新される、Ｃ３１に記載のプロセッサ可読媒体。